(57)【特許請求の範囲】
【請求項１】
デジタルテレビ受信機と携帯通信端末とが同じデータ放送を受信して、携帯通信端末におけるデータ放送のページ遷移と、デジタルテレビ受信機のデータ放送のページ遷移とを連動させるものであって、
デジタル放送を受信するデジタル放送受信手段と、
前記デジタル放送のデータ放送に含まれるリンク情報に使用される複数のアクセス用コードと、デジタルテレビ受信機を制御するリモコン信号との対応関係を規定するリモコン信号生成データを格納する記憶手段と、
データ放送上のリンク情報が選択された場合、該リンク情報に含まれるアクセス用コードを取得し、前記リモコン信号生成データを参照して、該アクセス用コードに対応するリモコン信号を生成するリモコン信号生成手段と、
前記生成したリモコン信号を前記デジタルテレビ受信機に送信して、該デジタルテレビ受信機を遠隔制御するリモコン手段と、
を備える携帯通信端末。
【請求項２】
請求項１に記載の携帯通信端末において、
前記リモコン信号を送信するか否かを切替選択するよう前記リモコン手段を制御する制御手段、をさらに備えることを特徴とする携帯通信端末。
【請求項３】
請求項１または２に記載の携帯通信端末において、
前記記憶手段が、複数種類のデジタルテレビ受信機に対応する、複数種類のリモコン信号生成データを格納する、ことを特徴とする携帯通信端末。
【請求項４】
請求項１〜３のいずれか１項に記載の携帯通信端末において、
前記リモコン手段が、赤外線通信方式または無線通信方式を使用する、ことを特徴とする携帯通信端末。
【請求項５】
デジタルテレビ受信機と携帯通信端末とが同じデータ放送を受信して、携帯通信端末におけるデータ放送のページ遷移と、デジタルテレビ受信機のデータ放送のページ遷移とを連動させるものであって、
受信手段を用いてデジタル放送を受信するデジタル放送受信ステップと、
前記デジタル放送のデータ放送に含まれるリンク情報に使用される複数のアクセス用コードと、デジタルテレビ受信機を制御するリモコン信号との対応関係を規定するリモコン信号生成データを記憶手段から取得する取得ステップと、
データ放送上のリンク情報が選択された場合、該リンク情報に含まれるアクセス用コードを取得し、前記リモコン信号生成データを参照して、該アクセス用コードに対応するリモコン信号を生成するリモコン信号生成ステップと、
前記生成したリモコン信号を前記デジタルテレビ受信機に送信して、該デジタルテレビ受信機を遠隔制御するリモコンステップと、
を含む携帯通信端末の制御方法。
【発明の詳細な説明】
【技術分野】
【０００１】
本発明は、携帯通信端末及びその制御方法に関する。
【背景技術】
【０００２】
デジタルテレビジョン放送は、デジタル符号化された1つ以上の映像・音声とともに、BML（Broadcasting Markup Language）という記述言語で記述されたデータ放送コンテンツも放送されており、映像・音声とデジタルコンテンツを視聴者に提示することができる。デジタルテレビジョン放送を受信するテレビ受像機（以下、デジタルテレビと称する。）は、従来のアナログテレビジョン放送を視聴する場合と同様に一つの映像をその表示画面に表示するとともに、音声を出力する提示形態をとるモード（映像モード）、BMLによるコンテンツを全画面に表示する提示形態をとるモード（データ放送モード）、映像とデータ放送を同一画面上に表示するモード（同時表示モード）をとることができる。図１に表示モードの表示例を示す。
【０００３】
また、デジタルテレビジョン放送を受信する機能を持つ携帯電話端末もある（以下、デジタルテレビ機能内蔵携帯と称する）。デジタルテレビ機能内蔵携帯においても、映像モード、データ放送モード、同時表示モードを持つことが多い。図１は、据え置き型デジタルテレビの画面例を示す図である。据え置き型デジタルテレビは、図１に示したような画面を通常数メートル離れて視聴するが、この視聴形態は動画映像を良好に見るための視聴形態で、データ放送のように文字中心のコンテンツを視聴するのには向いていない。即ち、図１（a）の映像モードの視聴には適しているが、図１（ｂ）、（ｃ）のデータ放送モードや同時表示モードの視聴には適していない。通常、文字中心のメディア、例えば、書籍・雑誌・新聞等は、目の数十センチメートル先の手元で見ることが多く、その形態で読むことが多くの人間にとって良好である。もちろん、データ放送コンテンツは、これを考慮して、文字数や行数を減らしたり、図形を多用したり、工夫されて作成されると予想されるが、映像に比べて見にくくなることは否定できない上に、一度に見られる情報量も制限される。また、同時表示モードではせっかくの高画質の映像を縮小して表示することになり、映像の含む情報を充分に視聴者に受け取らせることが難しい。
【０００４】
ところで、携帯電話には、赤外線通信機能を搭載し、据え置き型テレビ等のリモコン（リモートコントローラ）として使えるようになっているものもある（特許文献１を参照されたい）。これを用いて、携帯電話上で行った操作をそのままリモコンとして据え置き型テレビのリモコン（リモートコントロール）信号として送信し、据え置き型テレビのデータ放送を同時に操作することも考えられるが、据え置き型テレビと携帯電話ではデータ放送の表示レイアウトが異なり、携帯電話での操作をそのまま据え置き型テレビに送信しても同じ結果を得ることはできない。すなわち、携帯電話上でのデータ放送の操作を据え置き型テレビ上でのデータ放送の操作として連動させることができない。
【特許文献１】特開2001-237925号公報公報
【発明の開示】
【発明が解決しようとする課題】
【０００５】
このように、従来の据え置き型テレビ、或いはそのリモコンだけでは文字などのデータ放送の機能を十分に活用できず、携帯通信端末だけでも映像を十分に活用できないという問題があった。また、データ放送において携帯通信端末をリモコンとして使用することを考えた場合、据え置き型テレビと画面レイアウトが異なるため、操作が連動せず、快適な操作環境は得られないという問題があった。
【課題を解決するための手段】
【０００６】
上述した諸課題を解決すべく、第１の発明による携帯通信端末は、
デジタルテレビ受信機と携帯通信端末とが同じデータ放送を受信して、携帯通信端末におけるデータ放送のページ遷移と、デジタルテレビ受信機のデータ放送のページ遷移とを連動させるものであって、
デジタル放送を受信するデジタル放送受信手段と、
前記デジタル放送のデータ放送に含まれるリンク情報に使用される複数のアクセス用コード（例えば、BMLで規定されるアクセスキーコード）と、デジタルテレビ受信機を制御するリモコン（遠隔制御）信号との対応関係を規定するリモコン信号生成データを格納する記憶手段と、
データ放送上のリンク情報が選択された場合、該リンク情報に含まれるアクセス用コードを取得し、前記リモコン信号生成データを参照して、該アクセス用コードに対応するリモコン信号を生成するリモコン信号生成手段と、
前記生成したリモコン信号を前記デジタルテレビ受信機に送信して、該デジタルテレビ受信機を遠隔制御するリモコン手段（遠隔制御手段）と、
を備える。
【０００７】
また、第２の発明による携帯通信端末は、
前記リモコン信号を送信するか否かを切替選択するよう前記リモコン手段を制御する制御手段、をさらに備えることを特徴とする。
【０００８】
また、第３の発明による携帯通信端末は、
前記記憶手段が、複数種類のデジタルテレビ受信機に対応する、複数種類のリモコン信号生成データを格納する、ことを特徴とする。
【００１０】
また、第４の発明による携帯通信端末は、
前記リモコン手段が、赤外線通信方式または無線通信方式（例えば、Bluetooth、IEEE802.11bなどの無線ＬＡＮ）方式を使用する、ことを特徴とする。
【００１１】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
例えば、本願発明を方法として実現させた第５の発明による携帯通信端末の制御方法は、
デジタルテレビ受信機と携帯通信端末とが同じデータ放送を受信して、携帯通信端末におけるデータ放送のページ遷移と、デジタルテレビ受信機のデータ放送のページ遷移とを連動させるものであって、
受信手段を用いてデジタル放送を受信するデジタル放送受信ステップと、
前記デジタル放送のデータ放送に含まれるリンク情報に使用される複数のアクセス用コードと、デジタルテレビ受信機を制御するリモコン信号との対応関係を規定するリモコン信号生成データを記憶手段（フラッシュメモリなど）から取得する取得ステップと、
データ放送上のリンク情報が選択された場合、該リンク情報に含まれるアクセス用コードを取得し、前記リモコン信号生成データを参照して、該アクセス用コードに対応するリモコン信号を生成するリモコン信号生成ステップと、
前記生成したリモコン信号を前記デジタルテレビ受信機に送信して、該デジタルテレビ受信機を遠隔制御するリモコンステップと、
を含むものである。
【発明の効果】
【００１２】
本発明によれば、携帯通信端末でのデータ放送の選択実行時に、同時に、外部の据え置き型テレビにリモコン信号が送信され、携帯通信端末と外部のテレビとの間で同期した選択実行が行われることで、より快適で好適なデジタル放送の視聴が実現できる。
【発明を実施するための最良の形態】
【００１３】
以降、諸図面を参照しながら、本発明の実施態様を詳細に説明する。まず、本発明の原理の理解に資するために、従来技術による装置の動作を詳細に説明する。従来、データ放送を手元で視聴し、据え置き型デジタルテレビで映像を視聴したとすると、データ放送のページ遷移に伴う動画映像の変化を見ている据え置き型デジタルテレビに反映させるには、携帯とは別の据え置き型デジタルテレビのリモコンで行う必要があった。以下、具体例を用いて説明する。
【００１４】
デジタル放送では、複数の映像ストリームを放送しておき、それをユーザの選択によって、切り替えて提示するという放送形態をとることができる（マルチチャンネル放送）。この場合、ストリームの切替をデータ放送の同時表示モードにおけるユーザ操作によって切り替える形態がとられる場合がある。図２は、このようなマルチ映像ストリームの画面例を示す図である。図に示すように、同時表示モードでは、画面１は、選択されたストリームの映像を表示する映像表示エリア2と文字情報および、ストリームを選択するためのボタン4（図中の「清氷寺」「法降寺」「永半寺」）を含むデータ表示エリア6から構成される。
【００１５】
図４は、据え置き型デジタルテレビのリモコンの平面図である。図２のボタン4は図４に例示するような、リモコンの「青」「赤」「緑」「黄」のカラーキーＣと対応している。また、リモコンには、据え置き型テレビの電源をオンまたはオフする電源キーと、チャンネルを変更するチャンネル上、チャンネル下キーと、音量を変更する音量上、音量下キーと、データ放送の視聴モードを変更するｄ（データ）キーと、データ放送で用いる、位置指定キーＬ（「↑」「↓」「←」「→」「決定」キー）がある。リモコン上の対応するボタンを押下するか、何らかの色の枠で表されるフォーカス（操作対象領域）を上下左右キーのでボタンに移動させて、選択キーを押下することで、対応する動作を実行することができる。この例の場合、動作を実行することで、対応する映像ストリームが選択され、映像表示エリアに表示されるようになる。図２では、「永半寺」が選択実行された場合の画面を示しており、データ放送部に永半寺の説明文が表示されるとともに、映像表示部に永半寺の映像が表示されている。このような据え置きテレビ向けのデータ放送記述言語であるBML記述の例の一部を図３に示す。
【００１６】
図４に示す例のようにリモコンにはデータ放送キーｄがあり、これを押下することで、画面のモードが、映像表示モード、データ放送モード、同時表示モードに切り替わる。データ放送のBMLの記述に映像をデータ放送コンテンツに埋め込む記述がある場合、同時表示モードに切り替わる。ストリームを切り替えるには、同時表示モードでなければならないが、一般に同時表示モードでは、映像を縮小して埋め込むため、映像が小さくなってしまう。そこで、内部処理としては同時表示モードにとしつつも映像を全画面に出力するモード（拡大表示モード）を設けることで、映像は大きく表示することができる。
【００１７】
一方、データ放送に伴う情報はデジタルテレビ機能内蔵携帯でも見ることができる。携帯では動画映像は表示させず、データ放送の文字を中心とした情報を全画面に表示することで、据え置き型よりも多くの情報が表示できる場合がある。図５に携帯電話上のデータ放送の表示例と図６にそのBML例の一部を示す。
【００１８】
据え置き型テレビ向けのデータ放送と、携帯型受信機向けのデータ放送では、その表示領域の違い等から同じ内容を放送するとしても、BMLで指定されるレイアウトは異なるように作成される。例えば、横長の画面を基本とする据え置き型テレビでは、図２に示すようにデータ放送の内容やボタンは横長にレイアウトされる。また、縦長の画面を基本とする携帯電話では、図5に示すようにデータ放送の内容やボタンが縦長に配置される。通常、携帯電話上に表示されているボタンは、携帯電話が表示する情報を選択する機能を持つのみであるので、据え置きテレビの映像を切り替えるには、据え置き型テレビのリモコンを使い、同時表示モードに切り替えてから、切替操作を行う必要があり、操作が煩雑である。
【００１９】
従来技術の据え置き型テレビ等のリモコンとして使える携帯電話機では、据え置き型テレビのリモコンとしての操作とデータ放送の操作とが連動しないため、携帯電話上で行ったデータ放送の操作をそのままリモコンとして据え置き型テレビのリモコン信号として送信し、据え置き型テレビのデータ放送を同時に操作しようとしても、先に述べた通り、据え置き型テレビと携帯電話ではデータ放送の表示レイアウトが異なり、携帯電話での操作をそのまま据え置き型テレビに送信しても同じ結果を得ることはできない。
【００２０】
図５に携帯電話でデータ放送を受信したときの画面の一例を示す。図５で示した状態で、例えば、現在選択されている「永半寺」から、「法降寺」を選択するには、携帯の場合、「↑」キーを1度押下した後、「→」キーを押下し、その後で「決定」キーを押下することになるが、据え置きテレビの場合、リモコンの「←」キーを押下し、「決定」キーを押下するか、または、リモコン上の「赤」キーを押下しなければならない（図２参照）。もし、携帯が携帯に対して行われた操作に対応した「↑」「決定」のリモコン信号を据え置きテレビに送信したとしても、「法降寺」は選択されず、表示されている動画映像も「法降寺」に対応したものとはならない。
【００２１】
携帯電話に「赤」「青」「緑」「黄」等のリモコンと同様のキーを設置し、これらのキーを用いてリモコン信号を送信し、動作を制御することも考えられるが、大きさが制限されている携帯電話でテレビ視聴用に専用のキーを設けることは好ましくない。このように、据え置きテレビをデータ放送連動番組の映像を拡大表示モードにして、携帯電話をデータ放送受信モードにして視聴を行うとき、携帯電話上のデータ放送受信機能と、据え置きテレビ上のデータ放送受信機能の動作を同期させるには、視聴するための操作が煩雑になるという問題があった。
【実施例１】
【００２２】
次に、図７に本発明による携帯通信端末によって遠隔制御されるのに適した据え置き型デジタルテレビジョン受像機の構成を示すブロック図を示す。図に示すように、据え置き型デジタルテレビジョン受像機10は、アンテナ11で受信したデジタルテレビジョン信号をチューナー12で選択し、トランスポートストリームを抽出すると、それをTS処理部13に入力する。TS処理部13はトランスポートストリームを解析し、トランスポートストリームに含まれる放送に付随する情報を格納したPSI/SI情報・音声ストリーム・映像ストリーム・データ放送ストリームに分解する。制御部14は抽出されたPSI/SI情報に基づき、再生すべきストリームを選択し、TS処理部13に対して、各デコーダに出力するストリームを指示する。選択された音声ストリームは音声デコーダ15に入力され、復号・D/A変換処理の後音声信号として、スピーカー18から出力される。選択された映像ストリームは映像デコーダ16に入力され、復号された後、フレームバッファ19に書き込まれる。表示器(LCD)20はフレームバッファに書き込まれた復号後の画像を表示する。
【００２３】
データ放送ストリームは、データ放送デコーダ17で処理され、BML文書、静止画等のメディアファイルに復号されて、データ放送処理部21に送られる。データ放送処理部21は、BML文書を処理し、データ放送画面を描画し、フレームバッファ19に書き込む。フレームバッファ19には、データ放送コンテンツと、映像デコーダ16でデコードされた動画映像が両方書き込まれ、表示器20に表示されることになる。
【００２４】
制御部14は本体に設置されたキー22または、リモコン（図４）から送信された信号を受信するリモコン信号受信部からの信号によりユーザの操作を検出し、各処理部に対して、あらかじめ決められた設定を行う。
【００２５】
図４におけるd(データ)キーによる表示モードの変更はトグル形式になっており、押下する度に映像表示モード、データ放送モード（BMLの記述によっては、同時表示モード）、また、同時表示モードの場合、押下すると拡大表示モードにそれぞれ切り替わる。
【００２６】
表示モードの管理も制御部14が行う。表示モードが映像モードのとき、制御部14はデータ放送処理部21の処理を止め、映像デコーダ16に対して、画面全体にデコード結果の画像を出力するように指示する。表示モードがデータ放送モードのとき、制御部14は映像デコーダ16に対して、デコード処理を停止するように指示するとともに、データ放送処理部21に対して、画面全体への出力を指示する。ただし、BMLに映像ストリームを埋め込んで表示するように指定されている場合は、同時表示モードになる。
【００２７】
同時表示モードの場合、制御部14はデータ放送処理部21に対して、同時表示モードで表示するように指示するとともに、データ放送処理部21から、BMLで指定されている動画映像のストリーム種別と位置・大きさ情報を受け取り、TS処理部13に対して、指定されたストリームを映像デコーダ16に出力するように指示するとともに、映像デコーダ16にその位置に動画映像を出力するように指示する。
【００２８】
拡大表示モードでは、データ放送処理部21はBMLの解析処理を行い、入力に対して反応するが、データ放送のフレームバッファへの描画は行わない。また、BMLで指定されたストリームと位置・大きさを受け取った制御部14は、TS処理部13に対して指定されたストリームを映像デコーダ16に出力すると指定するとともに、映像デコーダ16に対して全画面への描画を指示する。据え置き型デジタルテレビの各モードにおける各処理部の動作を表1に示す。
【表１】
0004785543.tif 000002
【００２９】
なお、視聴者にとって、映像表示モードと拡大表示モードとの差はない（両方とも全画面表示）ため、実際のテレビ装置には映像表示モードを採用しなくても良い。
【００３０】
通信処理部24は、電話回線やインターネットなどの公衆通信回線と接続され、インタラクティブサービスの場合におけるデータの送受信に使われる。データ放送モード・同時表示モード・拡大表示モードの場合、本体に設置されたキーあるいはリモコンのキー22押下により発生したキーに対応した信号をリモコン信号受信部23が受信すると、制御部14は選局・音量・電源などの装置全体の制御に用いるキーが押されたのか、データ放送で用いる、「↑」「↓」「←」「→」「決定」カラーキー等が押されたのか判定する。装置全体の制御に用いるキーが押された場合、対応した制御を行う。データ放送で用いるキーが押下された場合は、データ放送処理部21に対してその情報を送信する。データ放送処理部21は、データ放送で用いるキーが押下された場合、BMLに記述されたキーが押下された場合の処理を実行する。これにより、例えば他のページ・他のBML文書への遷移が行われ、その結果、表示される映像ストリームが変更されたりする。
【００３１】
図８は、本発明の一実施例であるデジタルテレビ機能内蔵携帯の構成例を示すブロック図である。本発明の一実施例であるデジタルテレビ機能内蔵携帯は、デジタルテレビ受像機と携帯電話機が制御部を共有して合わせられた構成をとる。据え置き型テレビの構成で説明した各機能は、装置の大きさや消費電力の観点から性能は縮小されているものの、同じ機能を持っている。従って、同様の構成要素であるアンテナ111、放送チューナー112、TS処理部113、音声デコーダ115、映像デコータ116、データ放送デコーダ117、スピーカー118、フレームバッファ119、表示器120、データ放送処理部121、制御部114、キー122は、それぞれ同様の機能を有する。異なる構成としては、据え置き型デジタルテレビにリモコン信号を送信するリモコン信号送信部123を備える。また、後述するデジタル放送のデータ放送に含まれるリンク情報に使用される複数のアクセス用コードと、デジタルテレビ受信機を制御するリモコン信号との対応関係を規定するリモコン信号生成データを格納する記憶手段（図示せず）をも備え、制御部114が、データ放送上のリンク情報が選択された場合、該リンク情報に含まれるアクセス用コードを取得し、前記リモコン信号生成データを参照して、該アクセス用コードに対応するリモコン信号を生成するリモコン信号生成手段（図示せず）を備える。
【００３２】
次に通信部分の機能を詳細に説明する。通信部分では、アンテナ131を介して通信無線部132で受信した通話音声の信号を復調部で133復調し、復号部134で音声信号に復号した後、D/A変換部135でアナログ音声信号に変換し、スピーカー136から出力する。また、マイク137から入力された音声は、A/D変換部138でデジタル信号に変換された後、符号化部139で圧縮符号化され、変調部140で変調されたのち、通信無線部132で無線電波とされて、アンテナ131から送信される。制御部114は、移動体通信網とのプロトコル処理およびデータ通信を行い、データ信号を変調部140および復調部133に入出力することで行う。また、制御部114は、電話機能に必要な表示については、フレームバッファ119への描画を行い、また、ユーザのキー入力によって、動作を行い、ユーザに対して電話機能のユーザインタフェースを提供する。
【００３３】
データ放送はBMLという言語によって記述される。図９にBMLドキュメントの例を示す。BMLドキュメントは<要素名></要素名>で表されるXML要素を用いて記述される。BMLドキュメントにおいて、文書の遷移の機能を指示するアンカー要素は要素名がaで、要素には、いくつかの属性が指定できる。href属性は文書のアンカー要素で指定された部分で「決定」キーが押下された場合に次に表示すべき文書の識別子を記述する。また、アクセスキー（accesskey）属性はリモコン等でそのキーが押されたとき、その要素で「決定」が押下されたのと同じ処理を行うキーのキーコードを記述する。bgcolorは背景色、fgcolorは文字の色を指定する。アクセスキー属性は、通常はフォーカスを所望のイベントが規定された場所に移動させて選択するという動作をジャンプするためにある。従って、アクセスキーは、画面レイアウトの影響を受けず、かつ、フォーカス移動を経ずに動作を選択する（典型的には張られたリンクにジャンプする）機能を持つ。本発明は、このアクセスキーなどの画面レイアウトの影響を受けないアクセス用コードのコーディングの存在を巧みに利用して、据え置きデジタルテレビと携帯通信端末との間の画面遷移の同期を実現させるものである。
【００３４】
次に据え置き型テレビのデータ放送受信動作を説明する。図１０は、据え置き型テレビのデータ放送処理部の処理の流れを示すフローチャートである。ユーザがリモコンのｄ（データ）キーを押下して、データ放送モードまたは拡大表示モードになると、データ放送処理部は受信しているデータ放送コンテンツのBMLで記述されたドキュメントを解析する（ステップS1）。画面内のアンカー要素で指定された部分のうち、その時点で「決定」キーを押下したときに実行されるアンカー要素の部分を指示するための方法をフォーカスと呼ぶ。通常、画面の最も左上にあるアンカー要素で指定された部分を最初のフォーカスに設定するが、これをフォーカス初期化と呼ぶ（ステップS2）。データ放送モードでBMLに映像ストリームを埋め込んで表示するように指定してある場合は、同時表示モードになる。
【００３５】
同時表示モードでは、BMLで指定された大きさ・位置で映像が表示されるように、制御部を通じて映像デコーダに通知する。次に拡大表示モードか否かを判定する（ステップS3）。拡大表示モードの場合は、BMLでの大きさ指定は無視して、全画面に映像が表示されるように通知する。そうでない場合、即ち、データ放送モード或いは同時表示モードの場合は、解析結果に基づいてデータ放送画面を描画する（ステップS4）。この状態でデータ放送処理部はイベント待ち状態になり（ステップS5）、キーまたはリモコン信号、或いは放送によって送信されてくるイベントデータの各種イベントを待つ。
【００３６】
初期のフォーカス位置から「↑」「↓」「←」「→」キーの押下というイベントによって、移動する（ステップS6）。フォーカスは通常、その部分の周りに青い枠を描画することで、表示される。最後に終了か否かを判定して処理を終える（ステップS7）。
【００３７】
図１１は、据え置き型デジタルテレビのデータ放送処理部におけるキー受信処理の流れを示すフローチャートである。キー、リモコンキー押下等により受信されたリモコン信号、あるいはイベントデータを受け取ると、データ放送処理部はイベントに対応した処理を行う。何らかのキーに相当する場合にはキーが何であるか判定する（ステップS10）。それが、「↑」「↓」「←」「→」キーであれば、フォーカスを移動する処理を行い（ステップS13）、いままでフォーカスであった部分を通常の色に戻し、新たなフォーカスの部分を枠で囲む再描画処理を行い（ステップS16）、イベント待ちに戻る（ステップS17）。
【００３８】
アンカー要素により指定された部分にフォーカスがあるときに「決定」キー押下のイベントが発生した場合、アンカー要素のhref属性で指定された文書を新たに読み込む処理を実行する（ステップS12、S14、S15）。この場合、表示していた文書の処理は終了する。また、カラーキー押下のイベントが発生した場合、アクセスキー属性で同じキーコードを持つ要素を検索し（ステップS11）、見つかった要素で「決定」が押されたときと同じ処理（ページ遷移）を実行する。
【００３９】
デジタルテレビ機能内蔵携帯では、据え置き型デジタルテレビを拡大表示モードにしたときに、ユーザにより同期モードをオンに設定することで、携帯上のデータ放送の状態遷移と、据え置き型デジタルテレビのデータ放送の状態遷移を同期させる機能が有効になる。実際の動作を以下に説明する。
【００４０】
デジタルテレビ機能内蔵携帯でも同様に視聴モードをデータ放送モード或いは同時表示モードにすると、データ放送処理部は受信しているデータ放送コンテンツのBMLで記述されたドキュメントを解析する。解析が終了すると、解析結果に基づいてデータ放送画面を描画する。この状態でデータ放送処理部はイベント待ち状態になり、キー或いは放送によって送信されてくるイベントデータの各種イベントを待つ。
【００４１】
図１２は、デジタルテレビ機能内蔵携帯におけるキーイベント処理の流れを示すフローチャートである。キー押下あるいはイベントデータを受け取ると、データ放送処理部はイベントに対応した処理を行う。何らかのキーに相当する場合にはキーが何であるか判定する（ステップS20）。例えば、アンカー要素により指定された文字列にフォーカスがあるときに「決定」キー押下のイベントが発生した場合、アンカー要素のhref属性で指定された文書を新たに読み込む処理を実行し（ステップS21、S25）、リンク先文書の読み込み処理を行う（ステップS26）。「↑」「↓」「←」「→」キーであれば、フォーカスを移動する処理を行い（ステップS27）、いままでフォーカスであった部分を通常の色に戻し、新たなフォーカスの部分を枠で囲む再描画処理を行い（ステップS28）、イベント待ちに戻る（ステップS29）。
【００４２】
ステップ25を実行する前に、同期制御モードか否かを判定し（ステップS22）、デジタルテレビ機能内蔵携帯の据え置き同期制御モードの場合、アンカー読み込む処理を行う前にアンカー要素にアクセスキー属性があれば、対応するリモコンキー信号の発生処理を行う（ステップS23、S24）。アクセスキー属性で指定されたキーコードと発生するリモコンキー信号の対応はあらかじめ作成した対応表によって行う。対応表はすでにある据え置き型テレビの信号の表を数種類保存しておき、試用する前に据え置き型テレビの種別に基づいて使用する表を切り替えてもよいし、使用する前に実際のリモコンの発生する信号を受信して、保存しておいてもよい。
【００４３】
図１３は、本発明で使用するリモコン信号テーブル対応表の一例を示す図である。図に示すように、テーブルAは据え置きテレビ機種Ａ用、テーブルＢは据え置きテレビ機種Ｂ用とするなどして、機種別のテーブルを設ける。各テーブルには、１つのキーコードに１つのリモコン信号が対応付けられる。なお、据え置き型テレビとデジタルテレビ機能内蔵携帯で別の番組を視聴している等、はじめから同期を意図していないときは、誤動作を防ぐために、ユーザ操作により携帯の同期モードをオフに設定する。
【００４４】
上記のような構成をとることで、据え置き型テレビ用BML記述と、携帯受信向けBML記述でアンカー要素のアクセスキー属性を一致させておけば、実際は表示されていない据え置き型テレビのデータ放送のページ遷移と携帯電話のデータ放送のページ遷移を一致させることができる。拡大表示モードのとき、据え置き型テレビは外部へのデータ送信を禁止するようにすることもできる。これにより、未確認のまま各種情報が外部に伝送されたり、複数の情報が伝送されたりすることを防ぐ。ただし、禁止状態でデータ送信が試みられた場合、据え置き型テレビとデジタルテレビ機能内蔵携帯のデータ放送処理部の状態が一致しなくなることから、拡大表示モードから同時表示モードに遷移し、据え置き型テレビのデータ放送の現在の状態がユーザに確認できるようにし、デジタルテレビ機能内蔵携帯の据え置き同期制御モードをオフにするようにユーザに促す。
【００４５】
以上、説明したように、携帯電話などの携帯通信端末は手元で用いるため、文字メディアを提示するのに向いているが、画面が小さいため、動画映像を見るという点に関しては、据え置き型テレビに比べれば良好とはいえず、このような両者の特性を生かして、据え置き型デジタルテレビでは映像を大画面の全画面で表示する映像モードで表示し、数メートル先から視聴し、同時に、デジタル放送コンテンツをデジタル放送受信機能内蔵の携帯電話機で、データ放送モードで表示して、手元で視聴するという視聴形態は、メディアに適した視聴形態という点で、映像・データ放送の両方を良好に視聴できるという利点がある。
【００４６】
また、一般家庭において複数の人間がデータ放送を視聴する場合、各人の読む速度や興味の対象の違いがあり、据え置き型デジタルテレビ1台の一つの画面しかない場合、ページ遷移や別情報への遷移などが、各個人の希望通り行えないという問題もある。これについても、各自がデジタルテレビジョン視聴機能内蔵の携帯通信端末を持つことで、データ放送のページ遷移は各自が持つ各携帯上で行えばよく、視聴する各個人の読む速度や興味に合ったデータ放送視聴を提供することができる。
【００４７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、実施例ではデータ放送の言語としてはBMLを挙げて説明したが、データ放送用の他の言語であってもよい。また、アクセス用コードとしてはアクセスキーコードを用いて説明してあるが、他に同様のフォーカス位置などに依存しない対応付けを持つ機能が記述されたリンク情報があればそれを用いることもできる。
【図面の簡単な説明】
【００４８】
【図１】据え置き型デジタルテレビの画面例を示す図である。
【図２】マルチ映像ストリームの画面例を示す図である。
【図３】BML記述の例の一部を示す図である。
【図４】据え置き型デジタルテレビのリモコンの平面図である。
【図５】携帯電話でデータ放送を受信したときの画面の一例を示す図である。
【図６】BML記述の例の一部を示す図である。
【図７】本発明による携帯通信端末によって遠隔制御されるのに適した据え置き型デジタルテレビジョン受像機の構成を示すブロック図である。
【図８】本発明の一実施例であるデジタルテレビ機能内蔵携帯の構成例を示すブロック図である。
【図９】BMLドキュメントの例を示す図である。
【図１０】据え置き型テレビのデータ放送処理部の処理の流れを示すフローチャートである。
【図１１】据え置き型デジタルテレビのデータ放送処理部におけるキー受信処理の流れを示すフローチャートである。
【図１２】デジタルテレビ機能内蔵携帯におけるキーイベント処理の流れを示すフローチャートである。
【図１３】本発明で使用するリモコン信号テーブル対応表の一例を示す図である。
【符号の説明】
【００４９】
1  画面
2  映像表示エリア
4  カラーボタン
6  データ表示エリア
10  据え置き型デジタルテレビジョン受像機
11  アンテナ
12  チューナー
13  処理部
14  制御部
15  音声デコーダ
16  映像デコーダ
17  データ放送デコーダ
18  スピーカー
19  フレームバッファ
20  表示器
21  データ放送処理部
22  キー
23  処理部
23  リモコン信号受信部
24  通信処理部
111  アンテナ
112  放送チューナー
113  処理部
114  制御部
115  音声デコーダ
116  映像デコータ
117  データ放送デコーダ
118  スピーカー
119  フレームバッファ
120  表示器
121  データ放送処理部
122  キー
123  リモコン信号送信部
131  アンテナ
132  通信無線部
133  復調部
134  復号部
135  D/A変換部
136  スピーカー
137  マイク
138  A/D変換部
139  符号化部
140  変調部
Ｃ  カラーキー
ｄ  データ放送キー
Ｌ  位置指定キー
【図１】
0004785543.tif 000003
【図２】
0004785543.tif 000004
【図３】
0004785543.tif 000005
【図４】
0004785543.tif 000006
【図５】
0004785543.tif 000007
【図６】
0004785543.tif 000008
【図７】
0004785543.tif 000009
【図８】
0004785543.tif 000010
【図９】
0004785543.tif 000011
【図１０】
0004785543.tif 000012
【図１１】
0004785543.tif 000013
【図１２】
0004785543.tif 000014
【図１３】
0004785543.tif 000015